(57)【要約】【課題】映像の鑑賞を中断すること無く、鑑賞後に余裕をもってリンク情報の収集を行うことができる映像処理装置を提供する。【解決手段】映像処理装置は、コンテンツとコンテンツに含まれる映像情報に関連したリンク情報の表示を行う映像表示手段（ステップＳ２０３）と、リンク情報の保存指示の有無を判断するリンク情報保存指示判断手段（ステップＳ２０４）とを備える。また、リンク情報保存指示判断手段によりリンク情報の保存が指示されたと判断された場合、リンク情報を保存するリンク情報保存手段（ステップＳ２０５）を備える。【選択図】図３
2008028840.tif 000002
【特許請求の範囲】
【請求項１】
映像番組を含むコンテンツと前記コンテンツに含まれる映像情報に関連したリンク情報のリアルタイムな表示、あるいは、録画番組を含むコンテンツと前記コンテンツに含まれる映像情報に関連したリンク情報の再生を行う映像表示手段と、
前記リンク情報の保存指示の有無を判断するリンク情報保存指示判断手段と、
前記リンク情報保存指示判断手段により前記リンク情報の保存が指示されたと判断された場合、前記リンク情報を保存するリンク情報保存手段と、
を備えることを特徴とする映像処理装置。
【請求項２】
表示中の動画をキャプチャして静止画を作成する静止画作成手段と、
前記静止画作成手段により作成された前記静止画を保存する静止画保存手段と、
前記リンク情報と前記静止画を併せて保存するリンク情報・静止画保存手段と、
を備えることを特徴とする請求項１記載の映像処理装置。
【請求項３】
前記リンク情報を表示している時間を保存する経過時間保存手段と、
前記リンク情報と前記経過時間を併せて保存するリンク情報・経過時間保存手段と、
を備えることを特徴とする請求項１記載の映像処理装置。
【請求項４】
前記リンク情報・静止画保存手段から任意のリンク情報を選択する第１の選択手段と、
前記第１の選択手段により選択された前記静止画を表示する静止画表示手段と、
を備えることを特徴とする請求項２記載の映像処理装置。
【請求項５】
前記リンク情報・経過時間保存手段から任意のリンク情報を選択する第３の選択手段と、
前記第３の選択手段により選択された前記経過時間から前記コンテンツの任意のシーンを特定して表示するシーン表示手段と、
を備えることを特徴とする請求項３記載の映像処理装置。
【請求項６】
映像番組を含むコンテンツと前記コンテンツに含まれる映像情報に関連したリンク情報のリアルタイムな表示、あるいは、録画番組を含むコンテンツと前記コンテンツに含まれる映像情報に関連したリンク情報の再生を行う映像表示ステップと、
前記リンク情報の保存指示の有無を判断するリンク情報保存指示判断ステップと、
前記リンク情報保存指示判断ステップにより前記リンク情報の保存が指示されたと判断された場合、前記リンク情報を保存するリンク情報保存ステップと、
を備えることを特徴とする映像処理方法。
【請求項７】
表示中の動画をキャプチャして静止画を作成する静止画作成ステップと、
前記静止画作成ステップにより作成された前記静止画を保存する静止画保存ステップと、
前記リンク情報と前記静止画を併せて保存するリンク情報・静止画保存ステップと、
を備えることを特徴とする請求項６記載の映像処理方法。
【請求項８】
前記リンク情報・静止画保存ステップから任意のリンク情報を選択する第１の選択ステップと、
前記第１の選択ステップにより選択された前記静止画を表示する静止画表示ステップと、
を備えることを特徴とする請求項７記載の映像処理方法。
【請求項９】
映像番組を含むコンテンツと前記コンテンツに含まれる映像情報に関連したリンク情報のリアルタイムな表示、あるいは、録画番組を含むコンテンツと前記コンテンツに含まれる映像情報に関連したリンク情報の再生を行う映像表示モジュールと、
前記リンク情報の保存指示の有無を判断するリンク情報保存指示判断モジュールと、
前記リンク情報保存指示判断モジュールにより前記リンク情報の保存が指示されたと判断された場合、前記リンク情報を保存するリンク情報保存モジュールと、
をコンピュータに実行させることを特徴とする映像処理プログラム。
【請求項１０】
請求項９記載の映像処理プログラムを格納するコンピュータ読み取り可能な記憶媒体。
【発明の詳細な説明】
【技術分野】
【０００１】
本発明は、映像番組などのコンテンツの表示、録画番組などのコンテンツの再生を行う映像処理装置及び方法、並びにプログラム及び記憶媒体に関する。
【背景技術】
【０００２】
近年のデジタルＴＶ、及びインターネットの普及により映像コンテンツとネット情報の融合が急速に発展している。その様な状況下、映像番組などのコンテンツの表示、録画番組などのコンテンツの再生を行う映像処理装置（映像再生システム）が種々提案されている。
【０００３】
ここで、表示コンテンツの任意のシーン、又は登場人物、登場人物の着ている衣類、所持するアクセサリ等のあらゆる情報に、その関連情報又は、関連情報が存在することを示す識別情報等が付加された映像コンテンツが普及することが容易に推測される。
【０００４】
映像コンテンツの鑑賞中に、コンテンツ中に含まれる映像関連情報を選択することで、コンテンツ中の任意の情報についての詳細情報を即座に、かつ簡単に入手することが可能になる。
【０００５】
上記映像処理装置に関連する従来技術として、特許文献１には、映像データを使用する時、予め映像データを自動保存しておいて、インデックスにより呼び出す技術が提案されている。
【０００６】
また、特許文献２には、受信された素材及びシーン記述のデータを個別にデコードして一覧情報を作成し、その一覧を使用して再生処理を行う技術が提案されている。
【特許文献１】特開平１１−３３１１０４号公報
【特許文献２】特開２００１−２５７９８９号公報
【発明の開示】
【発明が解決しようとする課題】
【０００７】
しかしながら、映像コンテンツを鑑賞する場合、コンテンツ中に含まれる映像関連情報を入手したいという要望と同時に、映像の鑑賞に没頭したい、映像鑑賞を中断したくないという要望も存在する。つまり、コンテンツ中に含まれる映像関連情報は、映像鑑賞が終わった後でゆっくり確認したいという要望もある。現状では、上記の両方の要望を満足することができないと言った欠点があった。
【０００８】
本発明の目的は、映像の鑑賞を中断すること無く、鑑賞後に余裕をもってリンク情報の収集を行うことができる映像処理装置及び方法、並びにプログラム及び記憶媒体を提供することにある。
【課題を解決するための手段】
【０００９】
上記目的を達成するために、請求項１記載の映像処理装置は、映像番組を含むコンテンツと前記コンテンツに含まれる映像情報に関連したリンク情報のリアルタイムな表示、あるいは、録画番組を含むコンテンツと前記コンテンツに含まれる映像情報に関連したリンク情報の再生を行う映像表示手段と、前記リンク情報の保存指示の有無を判断するリンク情報保存指示判断手段と、前記リンク情報保存指示判断手段により前記リンク情報の保存が指示されたと判断された場合、前記リンク情報を保存するリンク情報保存手段とを備えることを特徴とする。
【発明の効果】
【００１０】
本発明の映像処理装置は、コンテンツとコンテンツに含まれる映像情報に関連したリンク情報の表示を行う映像表示手段と、リンク情報の保存指示の有無を判断するリンク情報保存指示判断手段とを備える。また、リンク情報保存指示判断手段によりリンク情報の保存が指示されたと判断された場合、リンク情報を保存するリンク情報保存手段を備える。
【００１１】
ユーザは、リンク情報を確認したときだけ、リンク情報を保存すればよいので、映像の鑑賞を中断すること無く、鑑賞後に余裕をもってリンク情報の収集を行うことができる。
【発明を実施するための最良の形態】
【００１２】
以下、本発明の実施の形態を図面を参照しながら詳細に説明する。
【００１３】
図１は、本発明の実施の形態に係る映像処理装置のブロック構成を概略的に示す図である。
【００１４】
図１の映像処理装置１０１の構成を動作と併せて説明する。外部からデータ放送信号が受信回路１０２に供給され、リモコンなどによるユーザからのチャンネル指定に従ってデータパケットが復調される。データパケットは番組素材ごとに分離処理された後、デコーダ１０３に送られる。
【００１５】
デコーダ１０３は、逐次デコード処理を行う。デコードされたシーン記述は、シーン記述処理装置１０４に送られる。シーン記述処理装置１０４は、シーン記述に従い、画像処理装置１０５及び音声処理装置１０７に対して受信した各番組素材の再生指示を行う。
【００１６】
画像処理装置１０５は、番組素材に描画再生処理を行って、ＣＲＴ１０６の画面上に表示する。同様にして、音声処理装置１０７は、音声再生処理を行い、スピーカ１０８から音響出力する。
【００１７】
録画要求処理装置１１０は、ユーザから録画開始要求を受けたとき、映像関連情報保存装置１０９に現在受信中の番組の録画を開始させる録画開始指示を通知し、同様に、録画終了要求を受けたとき録画終了指示を通知する。再生要求処理装置１１１は、ユーザから再生要求を受け取り、映像関連情報保存装置１０９に保存された映像関連情報を要求に応じて加工し表示することで、再生すべき番組を選択し、番組再生指示を行う。
【００１８】
図２は、図１の映像処理装置における、表示、保存処理の概念を示す図である。
【００１９】
図２において、表示装置（ＣＲＴ）１０６は、映像番組などのコンテンツのリアルタイムな視聴、又は録画番組などのコンテンツの再生表示を行うための表示機能を備えている。
【００２０】
表示装置１０６での映像鑑賞中にリンク情報１２０が存在し、かつリンク情報１２０に対して保存指示を行うことでリンク情報１２０の保存を行う。保存された１リンク情報１２０をリンク情報リスト１３０として一覧表示する。
【００２１】
以下、図１の映像処理装置の処理動作を図３乃至図６の第１乃至第４の処理フローに従って説明する。尚、図７乃至図９は、図４乃至図６の第２乃至第４の処理フローに付随する後処理フローであり、対応させて説明する。
【００２２】
図３は、図１の映像処理装置によって実行される第１の表示、保存処理の手順を示すフローチャートである。
【００２３】
図３において、始めに、映像番組などのコンテンツのリアルタイムな視聴、又は録画番組などのコンテンツの再生表示を開始する（ステップＳ２０１）。内部変数ｉを初期化（「０」）する（ステップＳ２０２）。映像鑑賞中に（ステップＳ２０３）、視聴画像、又は再生画像中に興味のあるリンク情報を発見した場合に、そのリンク情報に保存指示があるか否か判断し（ステップＳ２０４）、あれば保存指示を行う。
【００２４】
このリンク情報は、保存指示されたリンク情報［ｉ］として装置内部に保存される（ステップＳ２０５）。ｉ ＝０か否か判断し（ステップＳ２０６）、ｉ＝０の場合のみリンク情報リストを作成し（ステップＳ２０７）、作成されたリンク情報リストのｉ行目に保存指示されたリンク情報［ｉ］を保存する（ステップＳ２０８）。
【００２５】
内部変数ｉのカウントアップを行って（ステップＳ２０９）、映像番組の視聴、又は録画番組の再生が終了するまで上記処理を繰り返し（ステップＳ２１０）、本処理を終了する。このようにして、興味あるリンク情報だけを抽出したリンク情報リストを作成することができる。
【００２６】
図４は、図１の映像処理装置によって実行される第２の表示、保存処理の手順を示すフローチャートである。
【００２７】
図４において、始めに、映像番組などのコンテンツのリアルタイムな視聴、又は録画番組などのコンテンツの再生表示を開始する（ステップＳ３０１）。内部変数ｉを初期化（「０」）する（ステップＳ３０２）。映像鑑賞中に（ステップＳ３０３）、視聴画像、又は再生画像中に興味のあるリンク情報を発見した場合に、そのリンク情報に保存指示があるか否か判断し（ステップＳ３０４）、あれば保存指示を行う。
【００２８】
このリンク情報は、保存指示されたリンク情報 ［ｉ］として装置内部に保存される（ステップＳ３０５）。同時に、表示中の映像をキャプチャして静止画を作成する（ステップＳ３０６）。作成された静止画は、保存指示された静止画情報［ｉ］として装置内部に保存される（ステップＳ３０７）。
【００２９】
次に、ｉ ＝０か否か判断し（ステップＳ３０８）、ｉ＝０の場合のみリンク情報リストを作成する（ステップＳ３０９）。そして、作成されたリンク情報リストのｉ行目に保存指示されたリンク情報［ｉ］と保存指示された静止画情報 ［ｉ］を保存する（ステップＳ３１０）。
【００３０】
内部変数ｉのカウントアップを行って（ステップＳ３１１）、映像番組の視聴、又は録画番組の再生が終了するまで上記処理を繰り返し（ステップＳ３１２）、本処理を終了する。このようにして、興味あるリンク情報とリンク情報を表示しているシーンの静止画だけを抽出したリンク情報リストを作成することができる。
【００３１】
図７は、図４の、第２の表示、保存処理の後処理シーケンスを示すフローチャートである。
【００３２】
図７において、上記リンク情報リストの作成終了後、リンク情報リストから任意の保存指示されたリンク情報 ［ｉ］の選択を行う（ステップＳ６０１）。保存指示されたリンク情報 ［ｉ］と同じ行に保存されている保存指示された静止画情報［ｉ］の表示を行い（ステップＳ６０２）、処理を終了する。このようにすることで、リンク情報リストに保存指示したリンク情報を視覚的に思い出すことができる。
【００３３】
図５は、図１の映像処理装置によって実行される第３の表示、保存処理の手順を示すフローチャートである。
【００３４】
図５において、始めに、映像番組などのコンテンツのリアルタイムな視聴を開始する（ステップＳ４０１）。内部変数 ｉを初期化（「０」）する（ステップＳ４０２）。映像鑑賞中に（ステップＳ４０３）、視聴画像に興味のあるリンク情報を発見した場合に、そのリンク情報に保存指示があるか否か判断し（ステップＳ４０４）、あれば保存指示を行う。
【００３５】
このリンク情報は、保存指示されたリンク情報 ［ｉ］として装置内部に保存される（ステップＳ４０５）。同時に、表示中の映像を一定時間録画する。録画された動画は、保存指示された動画情報［ｉ］として装置内部に保存される（ステップＳ４０６）。
【００３６】
次に、ｉ ＝０か否か判断し（ステップＳ４０７）、ｉ＝０の場合のみリンク情報リストを作成し（ステップＳ４０８）、作成されたリンク情報リストのｉ行目に保存指示されたリンク情報［ｉ］と保存指示された動画情報 ［ｉ］を保存する（ステップＳ４０９）。
【００３７】
内部変数ｉのカウントアップを行って（ステップＳ４１０）、映像番組の視聴が終了するまで上記処理を繰り返し（ステップＳ４１１）、本処理を終了する。このようにすることで、興味あるリンク情報とリンク情報を表示しているシーンの動画だけを抽出したリンク情報リストを作成することができる。
【００３８】
図８は、図５の、第３の表示、保存処理の後処理シーケンスを示すフローチャートである。
【００３９】
図８において、上記リンク情報リストの作成終了後、リンク情報リストから任意の保存指示されたリンク情報 ［ｉ］の選択を行う（ステップＳ７０１）。保存指示されたリンク情報 ［ｉ］と同じ行に保存されている保存指示された一定時間の動画情報［ｉ］の表示を行い（ステップＳ７０２）、処理を終了する。このようにすることで、リンク情報リストに保存指示したリンク情報を視覚的に思い出すことができる。
【００４０】
図６は、図１の映像処理装置によって実行される第４の表示、保存処理の手順を示すフローチャートである。
【００４１】
図６において、始めに、録画番組などのコンテンツの再生表示を開始する（ステップＳ５０１）。内部変数ｉを初期化（「０」）する（ステップＳ５０２）。映像鑑賞中に（ステップＳ５０３）、再生画像中に興味のあるリンク情報を発見した場合に、そのリンク情報に保存指示があるか否か判断し（ステップＳ５０４）、あれば保存指示を行う。
【００４２】
このリンク情報は、保存指示されたリンク情報 ［ｉ］として装置内部に保存される（ステップＳ５０５）。同時に、経過時間を保存指示されたタイムスタンプ［ｉ］として装置内部に保存する（ステップＳ５０６）。
【００４３】
次に、ｉ ＝０か否か判断し（ステップＳ５０７）、ｉ＝０の場合のみリンク情報リストを作成し（ステップＳ５０８）、作成されたリンク情報リストのｉ行目に保存指示されたリンク情報［ｉ］と保存指示された経過時間 ［ｉ］を保存する（ステップＳ５０９）。
【００４４】
内部変数ｉのカウントアップを行って（ステップＳ５１０）、録画番組の再生が終了するまで上記処理を繰り返し（ステップＳ４１１）、本処理を終了する。このようにすることで、興味あるリンク情報とリンク情報を表示している時刻のタイムスタンプだけを抽出したリンク情報リストを作成することができる。
【００４５】
図９は、図６の、第４の表示、保存処理の後処理シーケンスを示すフローチャートである。
【００４６】
図９において、上記リンク情報リストの作成終了後、リンク情報リストから任意の保存指示されたリンク情報 ［ｉ］の選択を行う（ステップＳ８０１）。保存指示されたリンク情報 ［ｉ］と同じ行に保存されている保存指示されたタイムスタンプ［ｉ］の時刻から映像コンテンツの再生開始時刻を計算する（ステップＳ８０２）。計算された時刻から映像コンテンツの再生を開始して（ステップＳ８０３）、本処理を終了する。このようにすることで、リンク情報リストに保存指示したリンク情報を視覚的に思い出すことができる。
【００４７】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【００４８】
この場合、記憶媒体から読み出されたプログラムコード自体が前述した実施の形態の機能を実現することになり、そのプログラムコード及び該プログラムコードを記憶した記憶媒体は本発明を構成することになる。
【００４９】
また、プログラムコードを供給するための記憶媒体としては、例えば、ハードディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、不揮発性のメモリカード、ＲＯＭ等を用いることができる。又は、プログラムコードをネットワークを介してダウンロードしてもよい。
【００５０】
また、コンピュータが読み出したプログラムコードを実行することにより、上記実施の形態の機能が実現される場合には、限られない。すなわち、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００５１】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【００５２】
【図１】本発明の実施の形態に係る映像処理装置のブロック構成を概略的に示す図である。
【図２】図１の映像処理装置における、表示、保存処理の概念を示す図である。
【図３】図１の映像処理装置によって実行される第１の表示、保存処理の手順を示すフローチャートである。
【図４】図１の映像処理装置によって実行される第２の表示、保存処理の手順を示すフローチャートである。
【図５】図１の映像処理装置によって実行される第３の表示、保存処理の手順を示すフローチャートである。
【図６】図１の映像処理装置によって実行される第４の表示、保存処理の手順を示すフローチャートである。
【図７】図４の、第２の表示、保存処理の後処理シーケンスを示すフローチャートである。
【図８】図５の、第３の表示、保存処理の後処理シーケンスを示すフローチャートである。
【図９】図６の、第４の表示、保存処理の後処理シーケンスを示すフローチャートである。
【符号の説明】
【００５３】
１０１  映像処理装置
１０２  受信回路
１０３  デコーダ
１０４  シーン記述処理装置
１０５  画像処理装置
１０６  ＣＲＴ
１０７  音声処理装置
１０８  スピーカ
１０９  映像関連情報保存装置
１１０  録画要求処理装置
１１１  再生要求処理装置
Ｓ２０３、Ｓ３０３、Ｓ４０３、Ｓ５０３  映像表示手段
Ｓ２０４、Ｓ３０４、Ｓ４０４、Ｓ５０４  リンク情報保存指示判断手段
Ｓ２０５、Ｓ３０５、Ｓ４０５、Ｓ５０５  リンク情報保存手段
Ｓ３０６  静止画作成手段
Ｓ３０７  静止画保存手段
Ｓ３１０  リンク情報・静止画保存手段
Ｓ４０６  録画手段
Ｓ４０９  リンク情報・動画保存手段
Ｓ５０６  経過時間保存手段
Ｓ６０１  第１の選択手段
Ｓ６０２  静止画表示手段
Ｓ７０１  第２の選択手段
Ｓ７０２  動画表示手段
Ｓ８０１  第３の選択手段
Ｓ８０３  シーン表示手段
【図１】
2008028840.tif 000003
【図２】
2008028840.tif 000004
【図３】
2008028840.tif 000005
【図４】
2008028840.tif 000006
【図５】
2008028840.tif 000007
【図６】
2008028840.tif 000008
【図７】
2008028840.tif 000009
【図８】
2008028840.tif 000010
【図９】
2008028840.tif 000011